(57)【要約】【課題】用途に応じた的確なサイズで静止画像を印刷することができるビデオプリンタを提供する。【解決手段】印刷領域制御手段３が、入力手段６により入力された印刷用紙上での印刷領域の大きさに応じて、静止画像取得手段２にて取得した静止画像の大きさを調整し、印刷手段４が、入力手段６により入力された印刷用紙上での印刷領域の印刷位置に、印刷領域制御手段３にて大きさの調整された静止画像を印刷する。【選択図】    図１
2004266687.tif 000002
【特許請求の範囲】
【請求項１】
外部からの指示に応じた任意のタイミングで動画像から静止画像を取得して印刷するビデオプリンタであって、
外部からの指示に応じて動画像から任意のタイミングの静止画像を取得する静止画像取得手段と、
印刷用紙上での印刷領域の大きさを入力する入力手段と、
前記入力手段により入力された前記印刷領域の大きさに応じて前記静止画像取得手段が取得した静止画像の大きさを調整する印刷領域制御手段と、
前記印刷領域制御手段により大きさを調整された静止画像を印刷用紙上の所定の位置に印刷する印刷手段と
を備えることを特徴とするビデオプリンタ。
【請求項２】
請求項１記載のビデオプリンタであって、前記入力手段から円のサイズが入力されると、前記印刷領域制御手段により、前記円内に収まるように、前記静止画像取得手段が取得した静止画像の大きさが調整されることを特徴とするビデオプリンタ。
【請求項３】
円のサイズとして円の直径を用いることを特徴とする請求項２記載のビデオプリンタ。
【請求項４】
請求項２記載のビデオプリンタにおいて、前記入力手段により、円のサイズとして、光ディスクの規格に従う光ディスクの直径を選択できるようにしたことを特徴とするビデオプリンタ。
【請求項５】
静止画像を印刷する前記所定の位置が印刷用紙の端であることを特徴とする請求項１乃至４のいずれかに記載のビデオプリンタ。
【請求項６】
請求項２乃至４のいずれかに記載のビデオプリンタにおいて、前記円内に収まるように静止画像の大きさが調整されたときには、外部からの指示に応じて、若しくは、自動的に、静止画像が前記円内に収まるように前記円も印刷するようにしたことを特徴とするビデオプリンタ。
【請求項７】
外部からの指示に応じた任意のタイミングで動画像から静止画像を取得して印刷するビデオプリンタであって、
外部からの指示に応じて動画像から任意のタイミングの静止画像を取得する静止画像取得手段と、
印刷用紙上での印刷領域の大きさと印刷位置を入力する入力手段と、
前記入力手段により入力された前記印刷領域の大きさに応じて前記静止画像取得手段が取得した静止画像の大きさを調整する印刷領域制御手段と、
前記印刷領域制御手段により大きさを調整された静止画像を前記入力手段により入力された印刷用紙上の印刷位置に印刷する印刷手段と
を備えることを特徴とするビデオプリンタ。
【請求項８】
請求項７記載のビデオプリンタであって、前記入力手段から円のサイズが入力されると、前記印刷領域制御手段により、前記円内に収まるように、前記静止画像取得手段が取得した静止画像の大きさが調整されることを特徴とするビデオプリンタ。
【請求項９】
円のサイズとして円の直径を用いることを特徴とする請求項８記載のビデオプリンタ。
【請求項１０】
請求項８記載のビデオプリンタにおいて、前記入力手段により、円のサイズとして、光ディスクの規格に従う光ディスクの直径を選択できるようにしたことを特徴とするビデオプリンタ。
【請求項１１】
請求項８乃至１０のいずれかに記載のビデオプリンタにおいて、前記円内に収まるように静止画像の大きさが調整されたときには、外部からの指示に応じて、若しくは、自動的に、静止画像が前記円内に収まるように前記円も印刷するようにしたことを特徴とするビデオプリンタ。
【請求項１２】
光ディスク再生装置が再生する動画像から静止画像を取得することを特徴とする請求項１乃至１１のいずれかに記載のビデオプリンタ。
【請求項１３】
外部からの指示に応じた任意のタイミングで、光ディスク再生装置が再生する動画像から静止画像を取得して印刷するビデオプリンタであって、
外部からの指示に応じて、前記光ディスク再生装置が再生する動画像から任意のタイミングの静止画像を取得する静止画像取得手段と、
前記光ディスク再生装置から再生が行われている光ディスクのサイズの情報を受け取る光ディスク情報取得手段と、
前記光ディスク情報取得手段が受け取ったサイズの円内に収まるように前記静止画像取得手段が取得した静止画像の大きさを調整する印刷領域制御手段と、
前記印刷領域制御手段により前記円内に収まるように大きさを調整された静止画像を印刷用紙上の所定の位置に印刷する印刷手段と
を備えることを特徴とするビデオプリンタ。
【請求項１４】
光ディスクのサイズとして、光ディスクの規格に従う光ディスクの直径を用いることを特徴とする請求項１３記載のビデオプリンタ。
【請求項１５】
静止画像を印刷する前記所定の位置が印刷用紙の端であることを特徴とする請求項１３もしくは１４のいずれかに記載のビデオプリンタ。
【請求項１６】
請求項１３もしくは１４のいずれかに記載のビデオプリンタにおいて、外部からの指示に応じて、若しくは、自動的に、静止画像が前記円内に収まるように前記円も印刷するようにしたことを特徴とするビデオプリンタ。
【請求項１７】
外部からの指示に応じた任意のタイミングで、光ディスク再生装置が再生する動画像から静止画像を取得して印刷するビデオプリンタであって、
外部からの指示に応じて、前記光ディスク再生装置が再生する動画像から任意のタイミングの静止画像を取得する静止画像取得手段と、
前記光ディスク再生装置から再生が行われている光ディスクのサイズの情報を受け取る光ディスク情報取得手段と、
印刷用紙上での印刷領域の印刷位置を入力する入力手段と、
前記光ディスク情報取得手段が受け取ったサイズの円内に収まるように前記静止画像取得手段が取得した静止画像の大きさを調整する印刷領域制御手段と、
前記印刷領域制御手段により前記円内に収まるように大きさを調整された静止画像を前記入力手段により入力された印刷用紙上の印刷位置に印刷する印刷手段と
を備えることを特徴とするビデオプリンタ。
【請求項１８】
光ディスクのサイズとして、光ディスクの規格に従う光ディスクの直径を用いることを特徴とする請求項１７記載のビデオプリンタ。
【請求項１９】
請求項１７もしくは１８のいずれかに記載のビデオプリンタにおいて、外部からの指示に応じて、若しくは、自動的に、静止画像が前記円内に収まるように前記円も印刷するようにしたことを特徴とするビデオプリンタ。
【請求項２０】
請求項１３乃至１９のいずれかに記載のビデオプリンタにおいて、前記光ディスク情報取得手段は、前記光ディスク再生装置から出力される映像信号の垂直ブランキング区間内に付加された光ディスクのサイズの情報を受け取ることを特徴とするビデオプリンタ。
【発明の詳細な説明】
【０００１】
【発明の属する技術分野】
本発明は、外部からの指示に応じたタイミングで動画像から取得した静止画像を印刷するビデオプリンタに関する。
【０００２】
【従来の技術】
外部からの指示に応じたタイミングで動画像から取得した静止画像を印刷する従来のビデオプリンタは、静止画像の印刷用紙の最大印刷可能領域に合わせて拡大・縮小し、印刷を行っていた（例えば、特許文献１参照。）。
【０００３】
以下、従来のビデオプリンタについて説明する。
図３は従来のビデオプリンタの構成の概略を示す図である。図３において、１０１は動画像を再生する光ディスク再生装置、１０２は光ディスク再生装置１０１により再生された動画像から任意のタイミングで静止画像を取得する静止画像取得手段であり、ユーザから静止画像の取り込みが指示されると、動画像から静止画像を取得する。１０３は静止画像を印刷用紙の最大印刷可能領域に合わせて拡大・縮小し、その大きさを調整する印刷領域制御手段、１０４は印刷領域制御手段１０３により大きさの調整された静止画像を、印刷用紙の最大印刷可能領域に印刷する印刷手段、１０５はこのビデオプリンタの動作を制御するシステム制御手段、１０６は静止画像の取り込み指示等を入力する入力手段である。
【０００４】
続いて、この従来のビデオプリンタの動作について説明する。まず、ユーザの操作により入力手段１０６から静止画像の取り込みが指示されると、システム制御手段１０５は静止画像取得手段１０２へ静止画像の取り込みを指示する。静止画像取得手段１０２はこの指示に従い光ディスク再生装置１０１で再生されている動画像から静止画像を取り込む。
【０００５】
印刷領域制御手段１０３は、システム制御手段１０５から静止画像の大きさの調整の指示を受けると、印刷用紙の印刷可能領域を最大限に利用するように、この取り込まれた静止画像の大きさを調整する。
【０００６】
ユーザの操作により入力手段１０６から印刷が指示されると、システム制御手段１０５は印刷手段１０４へ静止画像の印刷を指示する。印刷手段１０４はこの指示に従い印刷用紙の最大印刷可能領域に静止画像を印刷する。
【０００７】
以上のように、従来のビデオプリンタは、印刷用紙の最大印刷可能領域に静止画像を印刷していた。
しかしながら、従来のビデオプリンタは、印刷用紙の最大印刷可能領域に静止画像を印刷するため、用途に応じた的確なサイズで印刷することができないという問題があった。例えば、印刷した静止画像をディスクやディスクケースなどに貼る場合には、印刷用紙の最大印刷可能領域よりも小さい範囲で印刷したほうが望ましいが、印刷用紙の最大印刷可能領域に静止画像が印刷されるので、印刷された静止画像を貼ったときに静止画像がディスクからはみ出すという問題が生じた。
【０００８】
【特許文献１】
特開平８−２０７３６４号公報
【０００９】
【発明が解決しようとする課題】
本発明は、上記問題点に鑑み、印刷用紙上での印刷領域の大きさや印刷位置を設定できるようにし、この設定に応じて印刷用紙の任意の領域に静止画像を印刷することにより、用途に応じた的確なサイズで静止画像を印刷することができるビデオプリンタを提供することを目的とする。
【００１０】
また、静止画像を印刷用紙の端に印刷することにより、印刷された静止画像を容易に切り取ることができるようになるビデオプリンタを提供することを目的とする。
【００１１】
また、円のサイズ（光ディスクの直径）が設定されると、この円内に収まるように静止画像の大きさを調整することにより、光ディスクに貼るのに最適な大きさの静止画像を印刷することができるビデオプリンタを提供することを目的とする。
【００１２】
また、光ディスク再生装置から受け取った光ディスクのサイズの情報を用いて静止画像の大きさを調整することにより、自動的に、光ディスクに貼るのに最適な大きさの静止画像を印刷することができるビデオプリンタを提供することを目的とする。
【００１３】
また、映像信号の垂直ブランキング区間内に光ディスクのサイズの情報を付加するようにし、この情報を用いて静止画像の大きさを調整することにより、静止画像の画質を損なうことなく、かつ特別な入力端子を設けることなく、自動的に、光ディスクに貼るのに最適な大きさの静止画像を印刷することができるビデオプリンタを提供することを目的とする。
【００１４】
【課題を解決するための手段】
本発明の請求項１記載のビデオプリンタは、外部からの指示に応じた任意のタイミングで動画像から静止画像を取得して印刷するビデオプリンタであって、外部からの指示に応じて動画像から任意のタイミングの静止画像を取得する静止画像取得手段と、印刷用紙上での印刷領域の大きさを入力する入力手段と、前記入力手段により入力された前記印刷領域の大きさに応じて前記静止画像取得手段が取得した静止画像の大きさを調整する印刷領域制御手段と、前記印刷領域制御手段により大きさを調整された静止画像を印刷用紙上の所定の位置に印刷する印刷手段とを備えることを特徴とする。
【００１５】
本発明の請求項２記載のビデオプリンタは、請求項１記載のビデオプリンタであって、前記入力手段から円のサイズが入力されると、前記印刷領域制御手段により、前記円内に収まるように、前記静止画像取得手段が取得した静止画像の大きさが調整されることを特徴とする。
【００１６】
本発明の請求項３記載のビデオプリンタは、請求項２記載のビデオプリンタであって、円のサイズとして円の直径を用いることを特徴とする。
本発明の請求項４記載のビデオプリンタは、請求項２記載のビデオプリンタにおいて、前記入力手段により、円のサイズとして、光ディスクの規格に従う光ディスクの直径を選択できるようにしたことを特徴とする。
【００１７】
本発明の請求項５記載のビデオプリンタは、請求項１乃至４のいずれかに記載のビデオプリンタであって、静止画像を印刷する前記所定の位置が印刷用紙の端であることを特徴とする。
【００１８】
本発明の請求項６記載のビデオプリンタは、請求項２乃至４のいずれかに記載のビデオプリンタにおいて、前記円内に収まるように静止画像の大きさが調整されたときには、外部からの指示に応じて、若しくは、自動的に、静止画像が前記円内に収まるように前記円も印刷するようにしたことを特徴とする。
【００１９】
本発明の請求項７記載のビデオプリンタは、外部からの指示に応じた任意のタイミングで動画像から静止画像を取得して印刷するビデオプリンタであって、外部からの指示に応じて動画像から任意のタイミングの静止画像を取得する静止画像取得手段と、印刷用紙上での印刷領域の大きさと印刷位置を入力する入力手段と、前記入力手段により入力された前記印刷領域の大きさに応じて前記静止画像取得手段が取得した静止画像の大きさを調整する印刷領域制御手段と、前記印刷領域制御手段により大きさを調整された静止画像を前記入力手段により入力された印刷用紙上の印刷位置に印刷する印刷手段とを備えることを特徴とする。
【００２０】
本発明の請求項８記載のビデオプリンタは、請求項７記載のビデオプリンタであって、前記入力手段から円のサイズが入力されると、前記印刷領域制御手段により、前記円内に収まるように、前記静止画像取得手段が取得した静止画像の大きさが調整されることを特徴とする。
【００２１】
本発明の請求項９記載のビデオプリンタは、請求項８記載のビデオプリンタであって、円のサイズとして円の直径を用いることを特徴とする。
本発明の請求項１０記載のビデオプリンタは、請求項８記載のビデオプリンタにおいて、前記入力手段により、円のサイズとして、光ディスクの規格に従う光ディスクの直径を選択できるようにしたことを特徴とする。
【００２２】
本発明の請求項１１記載のビデオプリンタは、請求項８乃至１０のいずれかに記載のビデオプリンタにおいて、前記円内に収まるように静止画像の大きさが調整されたときには、外部からの指示に応じて、若しくは、自動的に、静止画像が前記円内に収まるように前記円も印刷するようにしたことを特徴とする。
【００２３】
本発明の請求項１２記載のビデオプリンタは、請求項１乃至１１のいずれかに記載のビデオプリンタであって、光ディスク再生装置が再生する動画像から静止画像を取得することを特徴とする。
【００２４】
本発明の請求項１３記載のビデオプリンタは、外部からの指示に応じた任意のタイミングで、光ディスク再生装置が再生する動画像から静止画像を取得して印刷するビデオプリンタであって、外部からの指示に応じて、前記光ディスク再生装置が再生する動画像から任意のタイミングの静止画像を取得する静止画像取得手段と、前記光ディスク再生装置から再生が行われている光ディスクのサイズの情報を受け取る光ディスク情報取得手段と、前記光ディスク情報取得手段が受け取ったサイズの円内に収まるように前記静止画像取得手段が取得した静止画像の大きさを調整する印刷領域制御手段と、前記印刷領域制御手段により前記円内に収まるように大きさを調整された静止画像を印刷用紙上の所定の位置に印刷する印刷手段とを備えることを特徴とする。
【００２５】
本発明の請求項１４記載のビデオプリンタは、請求項１３記載のビデオプリンタであって、光ディスクのサイズとして、光ディスクの規格に従う光ディスクの直径を用いることを特徴とする。
【００２６】
本発明の請求項１５記載のビデオプリンタは、請求項１３もしくは１４のいずれかに記載のビデオプリンタであって、静止画像を印刷する前記所定の位置が印刷用紙の端であることを特徴とする。
【００２７】
本発明の請求項１６記載のビデオプリンタは、請求項１３もしくは１４のいずれかに記載のビデオプリンタにおいて、外部からの指示に応じて、若しくは、自動的に、静止画像が前記円内に収まるように前記円も印刷するようにしたことを特徴とする。
【００２８】
本発明の請求項１７記載のビデオプリンタは、外部からの指示に応じた任意のタイミングで、光ディスク再生装置が再生する動画像から静止画像を取得して印刷するビデオプリンタであって、外部からの指示に応じて、前記光ディスク再生装置が再生する動画像から任意のタイミングの静止画像を取得する静止画像取得手段と、前記光ディスク再生装置から再生が行われている光ディスクのサイズの情報を受け取る光ディスク情報取得手段と、印刷用紙上での印刷領域の印刷位置を入力する入力手段と、前記光ディスク情報取得手段が受け取ったサイズの円内に収まるように前記静止画像取得手段が取得した静止画像の大きさを調整する印刷領域制御手段と、前記印刷領域制御手段により前記円内に収まるように大きさを調整された静止画像を前記入力手段により入力された印刷用紙上の印刷位置に印刷する印刷手段とを備えることを特徴とする。
【００２９】
本発明の請求項１８記載のビデオプリンタは、請求項１７記載のビデオプリンタであって、光ディスクのサイズとして、光ディスクの規格に従う光ディスクの直径を用いることを特徴とする。
【００３０】
本発明の請求項１９記載のビデオプリンタは、請求項１７もしくは１８のいずれかに記載のビデオプリンタにおいて、外部からの指示に応じて、若しくは、自動的に、静止画像が前記円内に収まるように前記円も印刷するようにしたことを特徴とする。
【００３１】
本発明の請求項２０記載のビデオプリンタは、請求項１３乃至１９のいずれかに記載のビデオプリンタにおいて、前記光ディスク情報取得手段は、前記光ディスク再生装置から出力される映像信号の垂直ブランキング区間内に付加された光ディスクのサイズの情報を受け取ることを特徴とする。
【００３２】
以上のように、本発明によれば、印刷用紙の任意の領域に静止画像を印刷することができるので、用途に合わせて的確なサイズで静止画像を印刷することができるようになる。
【００３３】
また、静止画像を印刷用紙の端に印刷するので、静止画像の２辺はすでに切り取られた形になり、ユーザは残り２辺を切り取るだけで容易に印刷された静止画像を切り取ることができるようになる。
【００３４】
また、印刷された静止画像を貼る光ディスクの円内に収まるように静止画像の大きさを調整するので、光ディスクに貼るのに最適な大きさの静止画像を印刷することができ、印刷された静止画像を光ディスクに貼ったときに静止画像が光ディスクからはみ出すようなことがなくなる。さらに、印刷された静止画像を貼る光ディスクのサイズと同じサイズの円も印刷するので、ユーザは印刷用紙から静止画像を切り取る際に円に沿って切り取ることで容易に円形のラベルを作成することができるようになる。
【００３５】
また、光ディスク再生装置から受け取った光ディスクのサイズの情報を用いて静止画像の大きさを調整するので、自動的に、光ディスクに貼るのに最適な大きさの静止画像を印刷することができるようになる。
【００３６】
また、映像信号の垂直ブランキング区間内に光ディスクのサイズの情報を付加するようにし、この情報を用いて静止画像の大きさを調整するので、静止画像の画質を損なうことなく、かつ特別な入力端子を設けることなく、自動的に、光ディスクに貼るのに最適な大きさの静止画像を印刷することができるようになる。
【００３７】
【発明の実施の形態】
以下、本発明の実施の形態について、図面を用いて説明する。なお、ここで示す実施の形態はあくまでも一例であって、必ずしも以下の実施の形態に限定されるものではない。
【００３８】
図１は本実施の形態によるビデオプリンタの構成の概略を示す図である。図１において、１は動画像を再生する光ディスク再生装置、２は光ディスク再生装置１により再生された動画像から任意のタイミングで静止画像を取得する静止画像取得手段であり、ユーザから静止画像の取り込みが指示されると、動画像から静止画像を取得する。３は静止画像の大きさをユーザからの要求に応じて調整する印刷領域制御手段、４は印刷領域制御手段３により大きさの調整された静止画像を、ユーザからの要求に応じた印刷位置に印刷する印刷手段、５はこのビデオプリンタの動作を制御するシステム制御手段、６は静止画像の取り込み指示や印刷用紙上での印刷領域の大きさと印刷位置等を入力する入力手段、７は光ディスク再生装置１から再生中の光ディスクのサイズの情報（光ディスクの直径）を受け取る光ディスク情報取得手段である。
【００３９】
なお、本実施の形態によるビデオプリンタは、光ディスク再生装置が再生する動画像から静止画像を取得して印刷するように構成されているが、無論、動画像は、光ディスク再生装置が再生するものに限られるものではない。
【００４０】
また、光ディスク再生装置は、ビデオプリンタに外付けされるようにしてもよいし、ビデオプリンタに内蔵させてもよい。
以上のように構成されたビデオプリンタの動作について、まず基本の動作から説明する。なお、静止画像の印刷位置、大きさの設定はマイコンを用いてソフト処理されるものとする。
【００４１】
まず、外部からの指示として、ユーザの操作により入力手段６から静止画像の取り込み指示が入力されると、システム制御手段５は静止画像取得手段２へ静止画像の取り込みを指示する。静止画像取得手段２はこの指示に従い光ディスク再生装置１で再生されている動画像から静止画像を取り込む。
【００４２】
次に、ユーザの操作により入力手段６から印刷用紙上での印刷領域の大きさと印刷位置が入力されると、システム制御手段５はこれらの情報を図示しない記憶装置に格納し、まず印刷領域制御手段３に対して、静止画像の大きさの調整の指示とともに印刷領域の大きさの情報を与える。印刷領域制御手段３はこの指示に従い入力手段６により入力された印刷領域の大きさとなるように静止画像を拡大もしくは縮小して、その大きさを調整する。
【００４３】
次に、ユーザの操作により入力手段６から印刷の指示が入力されると、システム制御手段５は印刷手段４に対して、静止画像の印刷の指示とともに印刷位置の情報を与える。印刷手段４はこの指示に従い入力手段６により入力された印刷位置に静止画像を印刷する。
【００４４】
このようにすれば、印刷用紙の任意の領域に静止画像を印刷することができるようになるので、用途に合わせて的確なサイズで静止画像を印刷することができるようになる。
【００４５】
なお、印刷位置が入力されない場合には、静止画像を印刷用紙の端に印刷するようにしてもよい。このようにすれば、静止画像の２辺はすでに切り取られた形になるので、ユーザは残り２辺を切り取るだけで容易にラベルを作成することができるようになる。
【００４６】
また、印刷用紙上での印刷領域の大きさと印刷位置が入力されない場合には、例えば、印刷用紙の最大印刷可能領域に静止画像を印刷するようにしてもよい。
続いて、印刷領域の大きさとして、光ディスクの規格に従う光ディスクの直径（８ｃｍ／１２ｃｍ）が入力された場合の動作について説明する。
【００４７】
ユーザの操作により、印刷領域の大きさとして、光ディスクの規格に従う光ディスクの直径が入力されると、システム制御手段５はこの直径の光ディスクの円内に静止画像が収まるように印刷領域の大きさを計算し、印刷領域制御手段３に対して、静止画像の大きさの調整の指示とともに計算した印刷領域の大きさの情報を与える。印刷領域制御手段３はこの指示に従い、入力手段６により入力された直径の光ディスクの円内に収まるように静止画像を拡大もしくは縮小して、その大きさを調整する。例えば、静止画像が縦横比３：４であって、光ディスクの直径として１２ｃｍが入力された場合には、円内に接する静止画像の最大のサイズは縦７．２ｃｍ、横９．６ｃｍとなる。
【００４８】
その後、静止画像の印刷の指示とともに、静止画像に外接する円（この円の直径は光ディスクの直径と同じである。）の印刷の指示が入力されると、この円内に静止画像が収まった画像が印刷される。但し、静止画像に外接する円の印刷の指示が無い場合には、無論、円は印刷されず、上述した基本動作と同様の動作となる。
【００４９】
なお、円内に静止画像が収まった画像の印刷は、先に円を印刷した後にその円内に静止画像を印刷してもよいし、この逆の順序で印刷してもよいし、静止画像と円の画像を合成して同時に印刷してもよい。
【００５０】
また、印刷位置は、ユーザが入力した印刷位置のままでもよいし、予め定められた所定の位置でもよいし、ユーザが入力した印刷位置と円の直径から印刷可能な位置を自動的に判断するようにしてもよい。
【００５１】
また、ここでは、ユーザが円の印刷を指示する構成としたが、光ディスクの直径が入力されると自動的に円が印刷されるようにしてもよい。
また、光ディスクの直径（８ｃｍ／１２ｃｍ）の入力は、入力手段により数値を入力するようにしてもよいし、入力手段により８ｃｍ若しくは１２ｃｍを選択するようにしてもよい。
【００５２】
このようにすれば、印刷された静止画像を貼る光ディスクのサイズに最適なサイズで静止画像を印刷することができるようになるので、光ディスクに静止画像を貼ったときに静止画像が光ディスクからはみ出すようなことがなくなる。また、印刷された静止画像を貼る光ディスクのサイズと同じサイズの円も印刷するようにすれば、ユーザは印刷用紙から静止画像を切り取る際に円に沿って切り取ることで容易に円形のラベルを作成することができるようになる。
【００５３】
なお、ユーザの操作により光ディスクの直径を入力するのではなく、光ディスク情報取得手段７が受け取った光ディスクのサイズの情報（光ディスクの直径）を用いるようにしてもよい。このようにすれば、光ディスクの直径が自動的に設定されるので、自動的に、光ディスクに貼るのに最適な大きさの静止画像を印刷することができるようになる。
【００５４】
また、光ディスク再生装置１から光ディスクのサイズの情報を受け取る手段として、映像信号の垂直ブランキング区間内に光ディスクの直径の情報を付加するようにし、この情報を受け取るようにすれば、静止画像の画質を損なうことなく、かつ特別な入力端子を設けることなく光ディスクの直径の情報を取り込むことができるようになる。
【００５５】
なお、光ディスクのサイズとして光ディスクの直径を用いる構成としたが、無論、円のサイズを判断できる情報であればよく、例えば半径を用いるようにしてもよい。
【００５６】
図２は当該ビデオプリンタの動作手順の一例を示すフロー図である。
光ディスク再生装置で再生中の動画像から静止画像を取り込んだ後、ステップＳ１にてユーザの操作により入力手段から光ディスクの直径が入力されると、ステップＳ２に進み、取り込んだ静止画像の大きさを調整する。光ディスクの直径が入力されない場合には、ステップＳ３に進み印刷用紙の最大印刷可能領域に合うように静止画像の大きさが調整され、ステップＳ７にて静止画像の印刷が行われる。
【００５７】
ステップＳ２にて静止画像の大きさが調整されると、ステップＳ４に進む。ステップＳ４にてユーザの操作により入力手段から静止画像の印刷の指示とともに、静止画像に外接する円の印刷の指示が入力されると、ステップＳ６に進み、静止画像に外接する円を印刷した後、ステップＳ７に進み印刷した円内に静止画像を印刷する。
【００５８】
静止画像の印刷の指示のみの場合には、ステップＳ５へ進み印刷位置を印刷用紙の端に設定した後、ステップＳ７に進み印刷用紙の端に静止画像を印刷する。
【００５９】
【発明の効果】
以上のように、本発明によれば、印刷用紙の任意の領域に静止画像を印刷することができるので、用途に合わせて的確なサイズで静止画像を印刷することができるようになる。
【００６０】
また、静止画像を印刷用紙の端に印刷するので、静止画像の２辺はすでに切り取られた形になり、ユーザは残り２辺を切り取るだけで容易に印刷された静止画像を切り取ることができるようになる。
【００６１】
また、印刷された静止画像を貼る光ディスクの円内に収まるように静止画像の大きさを調整するので、光ディスクに貼るのに最適な大きさの静止画像を印刷することができ、印刷された静止画像を光ディスクに貼ったときに静止画像が光ディスクからはみ出すようなことがなくなる。さらに、印刷された静止画像を貼る光ディスクのサイズと同じサイズの円も印刷するので、ユーザは印刷用紙から静止画像を切り取る際に円に沿って切り取ることで容易に円形のラベルを作成することができるようになる。
【００６２】
また、光ディスク再生装置から受け取った光ディスクのサイズの情報を用いて静止画像の大きさを調整するので、自動的に、光ディスクに貼るのに最適な大きさの静止画像を印刷することができるようになる。
【００６３】
また、映像信号の垂直ブランキング区間内に光ディスクのサイズの情報を付加するようにし、この情報を用いて静止画像の大きさを調整するので、静止画像の画質を損なうことなく、かつ特別な入力端子を設けることなく、自動的に、光ディスクに貼るのに最適な大きさの静止画像を印刷することができるようになる。
【図面の簡単な説明】
【図１】本発明の実施の形態によるビデオプリンタの構成の概略を示す図
【図２】本発明の実施の形態によるビデオプリンタの動作手順の一例を示すフロー図
【図３】従来のビデオプリンタの構成の概略を示す図
【符号の説明】
１、１０１      光ディスク再生装置
２、１０２      静止画像取得手段
３、１０３      印刷領域制御手段
４、１０４      印刷手段
５、１０５      システム制御手段
６、１０６      入力手段
７      光ディスク情報取得手段
【図１】
2004266687.tif 000003
【図２】
2004266687.tif 000004
【図３】
2004266687.tif 000005